(57)【特許請求の範囲】
【請求項１】
先端部が絞られて細径化されており、調製されたカップ入りコーヒーのホイップクリームよりも上方のカップ側壁内面にコーヒー液を衝突させることを特徴とするホイップクリームを浮かべたカップ入りコーヒーの自動販売機のコーヒー吐出ノズル。
【請求項２】
先端部が絞られて径が漸減していることを特徴とする請求項１に記載のホイップクリームを浮かべたカップ入りコーヒーの自動販売機のコーヒー吐出ノズル。
【発明の詳細な説明】
【０００１】
【発明の属する技術分野】
本発明は、ホイップクリームを浮かべたカップ入りコーヒーの自動販売機のコーヒー吐出ノズルに関するものである。
【０００２】
【従来の技術】
ホイップクリームを浮かべたカップ入りコーヒーの自動販売機においては、カップにホイップクリームと湯とを入れ、両者を攪拌してクリームを更にきめ細かく泡立て、次いでコーヒー吐出ノズルからカップへコーヒー液を吐出して、ホイップクリームを浮かべたカップ入りコーヒーを調製している。
【０００３】
【発明が解決しようとする課題】
自動販売機が内蔵するコーヒー抽出装置を用いてコーヒー豆粉末から抽出したコーヒー液をコーヒー吐出ノズルからカップへ吐出する際に、抽出過程でコーヒー液に混入した大粒の泡がはじけ、白色のホイップクリームに褐色のコーヒー液の染みができて、ホイップクリームを浮かべたカップ入りコーヒーの商品価値が低下するという問題がある。また、コーヒー吐出ノズルから吐出したコーヒー液がホイップクリームに衝突してホイップクリームの泡が消え、ホイップクリームで覆われる液面の面積が減少して、ホイップクリームを浮かべたカップ入りコーヒーの商品価値が低下するという問題がある。本発明は上記問題に鑑みてなされたものであり、液面が白色のホイップクリームで広く覆われた、ホイップクリームを浮かべたカップ入りコーヒーを調製できる、カップ入りコーヒー自動販売機のコーヒー吐出ノズルを提供することを目的とする。
【０００４】
【課題を解決するための手段】
上記課題を解決するために、本発明においては、先端部が絞られて細径化されており、調製されたカップ入りコーヒーのホイップクリームよりも上方のカップ側壁内面にコーヒー液を衝突させることを特徴とするホイップクリームを浮かべたカップ入りコーヒーの自動販売機のコーヒー吐出ノズルを提供する。
本発明に係るカップ入りコーヒー自動販売機のコーヒー吐出ノズルにおいては、抽出過程でコーヒー液に混入した大粒の泡は、絞られて細径化されたノズル先端部においてコーヒー液から分離され、大粒の泡を含まないコーヒー液がコーヒー吐出ノズルの先端から吐出する。従って、大粒の泡がはじけて白色のホイップクリームに褐色のコーヒー液の染みができるおそれは無い。この結果、液面が白色のホイップクリームで広く覆われた、ホイップクリームを浮かべたカップ入りコーヒーが調製される。
【０００５】
本発明の好ましい態様においては、コーヒー吐出ノズルは、先端部が絞られて径が漸減している。
【０００６】
【発明の実施の形態】
本発明の実施例に係るカップ入りコーヒー自動販売機のコーヒー吐出ノズルを説明する。図１に示すように、コーヒーの自動販売機内にコーヒー液抽出器１が配設されている。コーヒー液抽出器１から延びるチューブ２がエア抜きタンク３に接続している。エア抜きタンク３から延びるチューブ４がコーヒー吐出ノズル５に接続している。コーヒー吐出ノズル５の先端部５ａは絞られて４ｍｍ程度の内直径に細径化されている。コーヒー吐出ノズル５は、先端部５ａを斜め下方へ差し向けて、自動販売機の図示しない構造部材に固定されている。
【０００７】
水平移動可能なカップ保持器６に、図示しないカップ供給装置から図示しないカップ供給位置においてカップ７が供給載置される。カップ保持器６がＡ位置ヘ移動し、カップ保持器６に載置されたカップ７に図示しない供給装置から湯８とホイップクリーム９とが供給され、両者が攪拌されてホイップクリーム９がきめ細かく泡立てられる。
【０００８】
カップ保持器６がコーヒー吐出ノズル５直下のＢ位置へ移動する。コーヒー液抽出器１においてコーヒー豆粉末と湯との混合液に加圧エアが吹き込まれコーヒー液が抽出される。抽出されたコーヒー液は、コーヒー液抽出器１から吐出し、チューブ２を通ってエア抜きタンク３へ流入する。抽出過程でコーヒー液に混入した加圧エアの泡が、エア抜きタンク３内でコーヒー液から略除去される。加圧エアの泡が略除去されたコーヒー液は、チューブ４を通り、コーヒー吐出ノズル５の先端部５ａから、図１で矢印で示すように、カップ７の側壁内面へ向けて、斜め下方ヘ吐出する。
【０００９】
コーヒー液中に残存する加圧エアの大粒の泡が、絞られて細径化されたノズル先端部５ａにおいてコーヒー液から分離され、大粒の泡を含まないコーヒー液がコーヒー吐出ノズル５の先端部５ａから吐出する。従って、大粒の泡がはじけて白色のホイップクリーム９に褐色のコーヒー液の染みができるおそれは無い。この結果、液面が白色のホイップクリームで広く覆われた、ホイップクリームを浮かべたカップ入りコーヒーが調製される。
【００１０】
図２で矢印で示すように、コーヒー吐出ノズル５は、上方から見下ろして、カップ７の側壁内面に対して略直角にコーヒー液を吐出する。上方から見下ろして、カップ７の側壁内面に対して略直角に吐出したコーヒー液は、カップ７の側壁内面に衝突した後、カップ７の側壁に沿う渦巻き状の流れとなることなく、図１で２重矢印で示すように、カップ７の側壁に沿って直ちに下方へ流れ下る。この結果、コーヒー液がホイップクリームと混ざり合ってホイップクリームの泡が消えるのが抑制され、液面が白色のホイップクリームで広く覆われた、ホイップクリームを浮かべたカップ入りコーヒーが調製される。
【００１１】
図１、２に示すように、コーヒー吐出ノズル５は、上方から見下ろして、カップ７内に位置決めされた先端部５ａからコーヒー液を吐出する。コーヒー吐出ノズル５の先端部５ａが、上方から見下ろして、カップ７内に位置決めされていれば、吐出したコーヒー液の飛行距離が短いのでコーヒー液は拡散することなく、カップ７の側壁内面に衝突する。この結果、コーヒー液がホイップクリーム９と混ざり合ってホイップクリーム９の泡が消えるのが抑制され、液面が白色のホイップクリーム９で広く覆われた、ホイップクリーム９を浮かべたカップ入りコーヒーが調製される。
【００１２】
カップ保持器６が商品取り出し位置である位置Ｃへ移動する。液面が白色のホイップクリーム９で広く覆われた、ホイップクリーム９を浮かべたカップ入りコーヒー１０が、図示しない商品取り出し口を介して、ユーザーへ提供される。
【００１３】
本発明に係るコーヒー吐出ノズルは、ホイップクリームを浮かべたカップ入りインスタントコーヒーの自動販売機にも適用可能である。
【００１４】
【発明の効果】
以上説明したごとく、本発明に係るカップ入りコーヒー自動販売機のコーヒー吐出ノズルにおいては、抽出過程でコーヒー液に混入した大粒の泡は、絞られて細径化されたノズル先端部においてコーヒー液から分離され、大粒の泡を含まないコーヒー液がコーヒー吐出ノズルの先端から吐出する。従って、泡がはじけて白色のホイップクリームに褐色のコーヒー液の染みができるおそれは無い。この結果、液面が白色のホイップクリームで広く覆われた、ホイップクリームを浮かべたカップ入りコーヒーが調製される。
【図面の簡単な説明】
【図１】本発明の実施例に係るカップ入りコーヒー自動販売機のコーヒー吐出ノズルとその周辺機器の側面図である。
【図２】図１のＩＩ−ＩＩ矢視図である。
【符号の説明】
１ コーヒー液抽出器
２、４ チューブ
３ エア抜きタンク
５ コーヒー吐出ノズル
５ａ 先端部
６ カップ保持器
７ カップ
８ 湯
９ ホイップクリーム
１０ カップ入りコーヒー
【図１】
0004015287.tif 000002
【図２】
0004015287.tif 000003